(57)【要約】      （修正有）【課題】飛出し部材の非装填時には打撃部材の打撃待機位置への移動が困難な構造を有する飛出し玩具を提供する。【解決手段】打撃部材５２を打撃待機位置まで移動させ、その際に生じるスプリング圧力によって飛出し部材を打ち出すようにした飛出し玩具において、装填穴５６ａに正規の飛出し部材を装填しないと、第２の移動阻止部が打撃部材５２の打撃待機位置までの移動を阻止し、正規の飛出し部材を装着した際には第２の移動阻止部の移動阻止を解除させ、打撃部材５２の打撃待機位置までの移動を許すようにした。【選択図】図７
0003184432.tif 000002
【実用新案登録請求の範囲】
【請求項１】
玩具本体と、この玩具本体から打ち出される飛出し部材と、を備え、
前記玩具本体は、
開口側からの挿入によって前記飛出し部材を装填可能な装填穴と、
前記装填穴の底面に直交する方向で互いに離間する第１位置及び第２位置の間で移動可能に構成された打撃部材と、
前記飛出し部材の前記第２位置側への移動に伴って畜勢され、この畜勢された付勢力によって、当該打撃部材を前記第１位置側へ移動させ当該打撃部材による打撃にて当該飛出し部材を打ち出させる打出し用スプリングと、
前記打撃部材の移動域に対して進退可能に構成され所定の付勢力によって前記移動域に進出する側に向けて付勢され且つ前記打撃部材の前記第１位置から前記第２位置までの移動を許容するとともに前記打撃部材が前記第２位置に至ったときに前記打撃部材を前記第２位置に保持する第１の移動阻止部と、前記打撃部材の移動域に対して進退可能に構成され所定の付勢力によって前記移動域に進出する側に向けて付勢され且つ前記移動域に固定された状態で前記打撃部材の前記第１位置から前記第２位置までへの移動を阻止する第２の移動阻止部を有する打撃部材規制手段と、
人為的に操作可能で、操作時に、前記第１の移動阻止部による前記打撃部材の保持を解除させる操作部と、
前記打撃部材とは異なる位置に設けられ、前記装填穴への前記飛出し部材の非装填時に前記第２の移動阻止部を前記移動域に固定するとともに、当該装填穴への当該飛出し部材の装填の際に当該飛出し部材との間に生じる力によって動作して前記第２の移動阻止部の固定を解除する移動阻止部固定手段と、
を備えたことを特徴とする飛出し玩具。
【請求項２】
前記操作部は前記第１の移動阻止部とは１つの部材に一体的に構成されていることを特徴とする請求項１記載の飛出し玩具。
【請求項３】
前記移動阻止部固定手段は、前記飛出し部材の前記装填穴への非装填時に前記操作部の操作を阻止する操作阻止部と、前記装填穴への当該飛出し部材の装填の際に当該飛出し部材との間に生じる力によって動作して前記操作阻止部による前記操作部の操作阻止を解除させる操作阻止解除部とを備えることを特徴とする請求項２記載の飛出し玩具。
【請求項４】
前記装填穴の底面の外周近くには、当該装填穴の内側面に対向し穴中央部と穴外周部とを仕切る仕切り壁が立設され、前記打撃部材は前記穴中央部に対応して設けられ、前記操作阻止解除部は前記穴外周部に設けられ、前記飛出し部材は、前記装填孔への装填時に前記穴外周部に差込み可能で差込みによって前記操作阻止解除部を動作させる差込み部を備えることを特徴とする請求項３記載の飛出し玩具。
【請求項５】
前記装填穴、前記打撃部材、前記打出し用スプリング、前記打撃部材規制手段及び前記移動阻止部固定手段によって１つの打出しユニットが構成され、前記打出しユニットは、前記玩具本体のケース内に収められるとともに、前記装填穴に装填した飛出し部材を前記装填穴の中心軸線を中心に回転させた際に追従して回転するように構成され、一方、前記ケースには、周方向に複数の差込み孔が形成され、この差込み孔には、差込みによって前記操作部を操作可能な差込み物が抜差し可能となっていることを特徴とする請求項１〜４いずれか一項記載の飛出し玩具。
【考案の詳細な説明】
【技術分野】
【０００１】
本考案は飛出し玩具に関する。
【背景技術】
【０００２】
従来、ケースの外壁部に複数の差込み孔が設けられた玩具本体と、この玩具本体の装填穴に装填される飛出し部材と、装填穴に装填された飛出し部材を打撃して打ち出すための打撃部材と、打撃部材の移動を阻止する移動阻止部を有しスプリングの付勢力が畜勢された状態で打撃部材の移動を阻止する打撃部材規制手段と、特定の差込み孔に差し込んだ差込み物による押圧によって移動阻止部による打撃部材の移動阻止を解除させる操作部と、を備えた飛出し玩具が知られている（例えば、特許文献１参照）。
【先行技術文献】
【特許文献】
【０００３】
【特許文献１】実公平７−２５９９７号公報
【考案の概要】
【考案が解決しようとする課題】
【０００４】
しかしながら、上記特許文献１の飛出し玩具では、飛出し部材を装填穴に装填しない状態でも、打撃部材をスプリングの付勢力に抗して手で移動させさえすれば、打撃待機位置で且つスプリングの付勢力が畜勢された状態で打撃部材の移動が移動阻止部によって阻止され、発射準備が完了してしまう。そして、この発射準備完了後に、正規の飛出し部材だけでなく、他の物体、例えばこけし人形やビー玉等を装填穴に装填して、操作部を操作すれば、移動阻止部による打撃部材の移動阻止が解除され、これら本来想定されない物体を打ち出すことが可能となり、怪我をする危険性があった。
【０００５】
この考案は、上記問題点を解決するためになされたもので、飛出し部材の非装填時には打撃部材の打撃待機位置への移動が困難な構造を有する飛出し玩具を提供することを目的とする。
【課題を解決するための手段】
【０００６】
請求項１の飛出し玩具は、
玩具本体と、この玩具本体から打ち出される飛出し部材と、を備え、
前記玩具本体は、
開口側からの挿入によって前記飛出し部材を装填可能な装填穴と、
前記装填穴の底面に直交する方向で互いに離間する第１位置及び第２位置の間で移動可能に構成された打撃部材と、
前記飛出し部材の前記第２位置側への移動に伴って畜勢され、この畜勢された付勢力によって、当該打撃部材を前記第１位置側へ移動させ当該打撃部材による打撃にて当該飛出し部材を打ち出させる打出し用スプリングと、
前記打撃部材の移動域に対して進退可能に構成され所定の付勢力によって前記移動域に進出する側に向けて付勢され且つ前記打撃部材の前記第１位置から前記第２位置までの移動を許容するとともに前記打撃部材が前記第２位置に至ったときに前記打撃部材を前記第２位置に保持する第１の移動阻止部と、前記打撃部材の移動域に対して進退可能に構成され所定の付勢力によって前記移動域に進出する側に向けて付勢され且つ前記移動域に固定された状態で前記打撃部材の前記第１位置から前記第２位置までへの移動を阻止する第２の移動阻止部を有する打撃部材規制手段と、
人為的に操作可能で、操作時に、前記第１の移動阻止部による前記打撃部材の保持を解除させる操作部と、
前記打撃部材とは異なる位置に設けられ、前記装填穴への前記飛出し部材の非装填時に前記第２の移動阻止部を前記移動域に固定するとともに、当該装填穴への当該飛出し部材の装填の際に当該飛出し部材との間に生じる力によって動作して前記第２の移動阻止部の固定を解除する移動阻止部固定手段と、
を備えたことを特徴とする。
【０００７】
請求項２の飛出し玩具は、請求項１記載の飛出し玩具において、前記操作部は前記第１の移動阻止部とは１つの部材に一体的に構成されていることを特徴とする。
【０００８】
請求項３の飛出し玩具は、請求項２記載の飛出し玩具において、前記移動阻止部固定手段は、前記飛出し部材の前記装填穴への非装填時に前記操作部の操作を阻止する操作阻止部と、前記装填穴への当該飛出し部材の装填の際に当該飛出し部材との間に生じる力によって動作して前記操作阻止部による前記操作部の操作阻止を解除させる操作阻止解除部とを備えることを特徴とする。
【０００９】
請求項４の飛出し玩具は、請求項３記載の飛出し玩具において、前記装填穴の底面の外周近くには、当該装填穴の内側面に対向し穴中央部と穴外周部とを仕切る仕切り壁が立設され、前記打撃部材は前記穴中央部に対応して設けられ、前記操作阻止解除部は前記穴外周部に設けられ、前記飛出し部材は、前記装填孔への装填時に前記穴外周部に差込み可能で差込みによって前記操作阻止解除部を動作させる差込み部を備えることを特徴とする。
【００１０】
請求項５の飛出し玩具は、請求項１〜４いずれか一項記載の飛出し玩具において、前記装填穴、前記打撃部材、前記打出し用スプリング、前記打撃部材規制手段及び前記移動阻止部固定手段によって１つの打出しユニットが構成され、前記打出しユニットは、前記玩具本体のケース内に収められるとともに、前記装填穴に装填した飛出し部材を前記装填穴の中心軸線を中心に回転させた際に追従して回転するように構成され、一方、前記ケースには、周方向に複数の差込み孔が形成され、この差込み孔には、差込みによって前記操作部を操作可能な差込み物が抜差し可能となっていることを特徴とする。
【考案の効果】
【００１１】
請求項１の飛出し玩具によれば、打撃部材の非装填時には、移動阻止部固定手段によって第２の移動阻止部が打撃部材の移動域に固定されて打撃部材の第２位置（打撃待機位置）までへの移動が阻止され、その移動阻止は、操作部を操作するだけでなく、打撃部材とは異なる位置に設けた移動阻止部固定手段が動作しない限り解除されないので、正規の飛出し部材以外の物体を装填して発射させることが困難となる。
【００１２】
請求項２の飛出し玩具によれば、操作部と第１の移動阻止部とが一体に構成されているため、別々に構成する場合よりも、構造が簡単なものとなる。
【００１３】
請求項３の飛出し玩具によれば、飛出し部材の非装填時には移動阻止部固定手段によって操作部の操作が阻止され、その操作阻止は、移動阻止部固定手段を動作させない限り解除されないので、飛出し部材とは形状又は構造が異なるこけし人形やビー玉などの物体を装填穴に装填しても、飛出し玩具は動作し難いことになる。
【００１４】
請求項４の飛出し玩具によれば、移動阻止部固定手段の操作阻止解除部が装填穴の外周近くに設けられ、仕切り壁によって保護されているので、この仕切り壁と装填穴の内側面との小さな隙間に物体を差し込まない限り、打撃部材を第２位置（打撃待機位置）に移動させることができないこととなる。
【００１５】
請求項５の飛出し玩具によれば、装填穴に装填した飛出し部材を回転させることで、打出しユニットも追従して回転するので、玩具本体のケースに収められた操作部の位置が外部からは視認しにくく、遊びに変化が生まれ、興趣性の高い飛出し玩具が実現できる。
【図面の簡単な説明】
【００１６】
【図１】本考案の実施形態に係る飛出し玩具の斜視図である。
【図２】図１の飛出し玩具の打出しユニット及び飛出し部材の斜視図である。
【図３】図１の飛出し玩具の飛出し部材を示した図であり、（Ａ）は飛出し部材の一部を切り欠いて示す正面図、（Ｂ）はその底面図である。
【図４】図１の飛出し玩具の移動阻止部固定手段を示した斜視図である。
【図５】図１の飛出し玩具の玩具本体の上部ケースを取り外した状態を示す平面図である。
【図６】図１の飛出し玩具の玩具本体の飛出し部材非装填時の状態を示した模式的断面図である。
【図７】図１の飛出し玩具の玩具本体の飛出し部材非装填時の状態を別の角度から示した模式的断面図である。
【図８】図１の飛出し玩具の玩具本体の飛出し部材装填時の状態を示した模式的断面図である。
【図９】図１の飛出し玩具の玩具本体の飛出し部材装填時の状態を別の角度から示した模式的断面図である。
【図１０】図１の飛出し玩具のガイド機構を示した斜視図である。
【考案を実施するための形態】
【００１７】
以下、本考案の実施形態を図面を参照しつつ説明する。
図１は、本考案に係る飛出し玩具の全体斜視図である。
この飛出し玩具１は、同図に示すように、外壁部１１に差込み孔１２を複数有する樽の外観をしたケース１３を有する玩具本体１０と、差込み孔１２に対して抜差し可能な差込み物２０と、飛出し部材３０とを備え、ケース１３の内部には、飛出し部材３０を打ち出すための打出しユニット５０が設けられている（図２参照）。ここで、差込み物２０の形状は、特に限定はされないが、剣を模した形状を有している。
そして、この飛出し玩具１は、玩具本体１０に飛出し部材３０を設置した状態で、複数の差込み孔１２のうちの特定の差込み孔１２に差込み物２０が差し込まれたときに、打出しユニット５０により飛出し部材３０が打ち出されて玩具本体１０から飛び出すように構成されている。
なお、差込み孔１２に差込み物２０が差し込まれる際などに作動されて効果音を発する音出手段を備えてもよいことは勿論である。
【００１８】
続いて、この飛出し玩具１の細部を説明する。
ケース１３は、図６等に示すように、上下に分割可能に構成された上部ケース１３ａ及び下部ケース１３ｂからなり、全体として、樽の外観をした中空状のケースとして構成されている。このケース１３の外壁部１１には差込み物２０を抜差し可能な差込み孔１２が円周方向に複数設けられている。また、上部ケース１３ａの天壁１４には、飛出し部材３０をケース１３の上部に設置するための開口１４ａが形成されている。
【００１９】
飛出し部材３０は、差込み物２０がケース１３の特定の差込み孔１２に差し込まれたことを報知させるためのもので、ここでは人形として構成されている。図３（Ａ）に示すように、この飛出し部材３０は上半部３０ａが人形の頭部の形をし、下半部３０ｂが人形の胴部の形をし、この胴部は略円柱状となっている。この飛出し部材３０を下方から見ると、図３（Ｂ）に示すように、下半部３０ｂの周壁の直ぐ内方に環状の凹部３１が同心的に形成されている。そして、この下半部３０ｂの周壁は差込み片（差込み部）３２を構成し、凹部３１の内側の凸部は打撃部材５２との当接部３３となっている。また、図２に示すように、下半部３０ｂの周壁の下端には凹部３４が周方向に複数形成されており、この凹部３４は、飛出し部材３０を装填穴５６ａに装填した際に、装填穴５６ａの底面に形成された凸部（図示せず）と噛合可能に構成され、噛合状態で、飛出し部材３０をその中心軸を中心に回転させることで、打出しユニット５０を一体的にクリック回転させることができる。このクリック回転させることによって、後述の操作部５４ｂを複数の差込み孔１２の１つに対向させる。なお、凹部３４に代えて、飛出し部材３０の周壁下端又は下半部外周を摩擦抵抗の大きい素材で形成してもよい。この場合には、その摩擦力を利用して打出しユニット５０を回転させることになる。
【００２０】
打出しユニット５０は、上述の装填穴５６ａを備えるとともに、筒体５１と、飛出し部材３０の打ち出しに必要な各種部品を備えている。
筒体５１内には、図７に示すように、棒状の打撃部材５２が上下動可能に収納されるとともに、打撃部材５２を上方に付勢するスプリング（打出し用スプリング）５３が収納されている。このうち、打撃部材５２には上下方向中程にフランジ５２ａが設けられるとともに、下端にフランジ５２ｂが設けられている。そして、フランジ５２ａは打撃部材５２が上動する際に装填穴５６ａの底面の開口縁に係止され、打撃部材５２の上昇位置を規制する。一方、フランジ５２ｂは、打撃部材５２の下動を阻止したり、打撃部材５２を打撃待機位置に保持するものである。
また、筒体５１の外周部には係止レバー５４が設けられている。この係止レバー５４は、上下方向中間部の軸５４ａを中心に回動可能に構成され、上端側のアーム部には差込み物２０によって操作される操作部５４ｂが設けられ、下端側のアーム部には係止爪５４ｃが設けられている。
このうち操作部５４ｂは、スプリング５５によって、筒体５１から離間する方向に付勢されている。また、係止爪５４ｃは、筒体５１の周壁に形成された透孔５１ａを通じて筒体５１内に進入している。この係止爪５４ｃは、操作部５４ｂを筒体５１に接近する方向に操作した際に筒体５１内から退出する。すなわち、係止爪５４ｃは、打撃部材５２の移動域に対して進退可能に構成されている。ここで、係止爪５４ｃを画成する下縁は打撃部材５２の上動を阻止するための第１の移動阻止部を構成し、上縁は打撃部材５２の下動を阻止するための第２の移動阻止部を構成している。そして、係止爪５４ｃとスプリング５５とは打撃部材移動規制手段を構成している。なお、スプリング５５の付勢力に代えて、係止レバー５４の自重による付勢力を利用して、係止レバー５４を付勢してもよいが、確実に付勢するためにはスプリング５５の付勢力を利用することが好ましい。また、スプリング５５に代えて、トーションスプリングを軸５４ａに巻装して設け、操作部５４ｂを筒体５１から離間する方向に付勢してもよい。
【００２１】
この係止レバー５４はスプリング５５と協働して次のような働きをする。この係止レバー５４の働きを、後述の移動阻止部固定部材６０で係止レバー５４が操作阻止されていない場合と、係止レバー５４が操作阻止されている場合とに分けて説明する。
【００２２】
１．係止レバー５４が操作阻止されていない場合
この状態で、打撃部材５２を上昇位置から下降させると、打撃部材５２のフランジ５２ｂによって係止爪５４ｃが下方に押圧され、係止レバー５４はスプリング５５の付勢力に抗する方向に回動し、係止爪５４ｃが打撃部材５２のフランジ５２ｂを乗り越えた所で、スプリング５５の付勢力によってフランジ５２ｂを係止する。この位置は、打撃部材５２の打撃待機位置であり、係止爪５４ｃのフランジ５２ｂの係止によって打撃部材５２の上動が阻止される。
そして、この状態から、差込み物２０の差込みの押圧力によって操作部５４ｂが操作されると、図９に示すように、スプリング５５の付勢力に抗して係止レバー５４がスプリング５５の付勢力に抗する方向に軸５４ａを中心に回動し、係止レバー５４の係止爪５４ｃによるフランジ５２ｂの係止を解除させ、スプリング５３の付勢力によって打撃部材５２の上端部が装填穴５６ａ内に突出する。
【００２３】
２．係止レバー５４の操作阻止がされている場合
この状態で、打撃部材５２を上昇位置から下降させると、打撃部材５２の下側のフランジ５２ｂによって係止爪５４ｃが下方に押圧されるが、係止レバー５４は、移動阻止部固定部材６０により操作阻止されているため、回動しない。そのため、係止爪５４ｃが打撃部材５２のフランジ５２ｂを乗り越えることができない。つまり、係止爪５４ｃによってフランジ５２ｂが係止され、打撃部材５２の下動が阻止される。
【００２４】
次に、筒体５１の上端に設けた飛出し部材装填部５６について説明する。
この飛出し部材装填部５６は筒体５１に比べて大径に形成されている。この飛出し部材装填部５６には上方に開口する装填穴５６ａが形成されている。そして、この装填穴５６ａの底面の外周近くには、当該装填穴５６ａの内側面に対向し当該装填穴５６ａを穴中央部と穴外周部とに仕切る平面視で弧状の仕切り壁５７が立設されている。そして、飛出し部材３０を装填穴５６ａに装填する際に、穴外周部には飛出し部材３０の差込み片３２が差し込まれ、穴中央部には飛出し部材３０の当接部３３が挿入される。
【００２５】
また、図６〜図９に示すように、筒体５１の上端部には移動阻止部固定部材６０が設けられている。この移動阻止部固定部材６０は移動阻止部固定手段を構成している。この移動阻止部固定部材６０は、飛出し部材３０が装填穴５６ａに装填されない状態では打撃部材５２が打撃待機位置まで下動しないように係止レバー５４を打撃部材５２の移動域に固定し、飛出し部材３０が装填穴５６ａに装填される際には係止レバー５４の固定を解除する。
この移動阻止部固定部材６０は、軸６１ａを中心に回動可能に構成されている。そして、この移動阻止部固定部材６０は、装填穴５６ａの周壁の孔５６ｂを貫通して当該装填穴５６ａの内側面と仕切り壁５７との隙間に臨む操作阻止解除部６１と、この操作阻止解除部６１と連結され操作部５４ｂと筒体５１との間に差込み可能な差込み片６２とを備え、差込み片６２が操作部５４ｂと筒体５１との間に差し込まれる方向にスプリング６３によって付勢されている。ここで、差込み片６２は操作阻止部を構成している。
この移動阻止部固定部材６０は、図６及び図７に示すように、装填穴５６ａに打撃部材５２が装填されない状態にあるときに差込み片６２が操作部５４ｂと筒体５１との間に差込まれ、操作部５４ｂの操作を阻止することで、打撃部材５２の打撃待機位置までの下動を阻止する。一方、この移動阻止部固定部材６０は、図８に示すように、飛出し部材３０を装填穴５６ａに装填する際に、飛出し部材３０の差込み片３２が操作阻止解除部６１を押圧すると、スプリング６３の付勢力に抗する方向に軸６１ａを中心に回動し、差込み片６２が操作部５４ｂと筒体５１との間から退出する。この差込み片６２が操作部５４ｂと筒体５１との間から退出するタイミングは、飛出し部材３０が打撃待機位置に到達する前である。これにより、打撃部材５２の打撃待機位置までの下動が可能となる。
また、この移動阻止部固定部材６０には、図１０に示すように、ガイド機構７０が付設されている。このガイド機構７０は、筒体５１に固定された固定板７１に立設されたガイド板７２と、移動阻止部固定部材６０に垂設されガイド板７２を挟持し移動阻止部固定部材６０の回動の際にガイド板７２に摺接する２つの摺接板６４、６４とから構成されている。これによって、移動阻止部固定部材６０の回動が円滑に行われる。
【００２６】
次に、以上のように構成された飛出し玩具１の遊び方を動作と共に説明する。
先ず、外壁部１１の差込み孔１２の全てから差込み物２０を抜いておく。この状態では、移動阻止部固定部材６０の差込み片６２が操作部５４ｂと筒体５１との間に差込まれ、操作部５４ｂの操作を阻止している。したがって、この状態で、手で打撃部材５２を押し込んでも、打撃部材５２のフランジ５２ｂが係止爪５４ｃに突き当たり、打撃部材５２のそれ以上の下動が阻止される。
【００２７】
次に、飛出し部材３０を装填穴５６ａに装填する。すると、この装填の際に飛出し部材３０の差込み片３２によって操作阻止解除部６１が押圧され、移動阻止部固定部材６０がスプリング６３の付勢力に抗する方向に軸６１ａを中心に回動し、差込み片６２が操作部５４ｂと筒体５１との間から退出する。したがって、飛出し部材３０のさらなる装填穴５６ａへの押し込みが可能となり、打撃部材５２が下動し、係止爪５４ｃが打撃部材５２の外周に摺接し、係止レバー５４がスプリング５５の付勢力に抗する方向に回動し、係止爪５４ｃが打撃部材５２のフランジ５２ｂを乗り越えた所で、スプリング５５の付勢力によってフランジ５２ｂを係止する。これによって打撃部材５２の上動が阻止される。
なお、操作阻止解除部６１が、穴中央部と仕切り壁５７に仕切られる状態で穴外周部に設けられているため、例えば装填穴５６aの内周径（穴外周部径）よりもやや小さい程度の人形を装填しようとしても当該人形の底部が仕切り壁５７に当接することで装填が阻止される。一方、仕切り壁５７で仕切られる穴中央部に装填可能な径サイズの人形では、前述の通り打撃部材５２の下動が係止爪５４ｃにより阻止され、やはり装填ができない。つまり、飛出し部材３０のような差込片３２と当接部３３を併せ持つ特殊な形状のものでなければ装填操作が出来ないこととなり、専用部材としての飛出し部材３０でなければ遊ぶことが出来ず、安全性が向上する。
【００２８】
この状態で、飛出し部材３０を装填穴５６ａ内で鉛直軸を中心に回転させる。すると、打出しユニット５０もそれに伴って回転する。この回転は、外部から操作部５４ｂの位置を悟られないようにするためのものである。
【００２９】
次に、例えば複数のプレイヤーが順番に１本ずつ差込み孔１２に差込み物２０を差してゆく。この場合、操作部５４ｂに対向しない差込み孔１２に差込み物２０を差し込んでも飛出し玩具１は動作しない。
一方、操作部５４ｂに対向する差込み孔１２に差込み物２０を差し込むと、係止レバー５４がスプリング５５の付勢力に抗する方向に軸５４ａを中心に回動し、係止レバー５４の係止爪５４ｃによるフランジ５２ｂの係止を解除させ、スプリング５３の付勢力によって打撃部材５２の上端部が装填穴５６ａ内に突出する。そして、この打撃部材５２の打撃によって飛出し部材３０が玩具本体１０から打ち出される。
【００３０】
なお、飛出し部材３０を装填穴５６ａに装填し、打撃部材５２を打撃待機位置まで下降させた後に飛出し部材３０を装填穴５６ａから取り外すと、スプリング６３の付勢力によって移動阻止部固定部材６０が回動し、差込み片６２が操作部５４ｂと筒体５１との間に差し込まれ、操作部５４ｂの操作を阻止する。したがって、それ以降に飛出し部材３０に代えて、飛出し部材３０とは形状や構造の異なるこけし人形やビー玉などの物体を装填穴５６ａに装填して、差込み孔１２に差込み物２０を差し込んでも飛出し玩具１は動作しないことになる。
【００３１】
以上、本考案の実施形態を説明したが、本考案は、かかる実施形態に限定されるものではなく、その要旨を変更しない範囲で、種々の変形が可能である。
【００３２】
例えば、上記実施形態では、飛出し部材３０の差込み片３２の押圧力によって移動阻止部固定部材６０を動作させたが、飛出し部材３０と移動阻止部固定部材６０との間で磁力作用が働くように構成しておき、飛出し部材３０を装填した際にその磁力作用によって移動阻止部固定部材６０を動作させるように構成してもよい。
【００３３】
また、上記実施形態では、移動阻止部固定部材６０は係止レバー５４を介して間接的に打撃部材５２を下動させないようにしたが、移動阻止部固定部材６０自体によって打撃部材５２を下動させないようにしてもよい。この場合には移動阻止部固定部材６０の一部は打撃部材規制手段の一部を兼用することになる。
【符号の説明】
【００３４】
１     飛出し玩具
１０   玩具本体
３０   飛出し部材
３２   差込み片
５０   打出しユニット
５１   筒体
５２   打撃部材
５２ｂ フランジ
５３   スプリング
５４   係止レバー
５４ｂ 操作部
５４ｃ 係止爪
５５   スプリング
５６ａ 装填穴
５７   仕切り壁
６０   移動阻止部固定手段
６１   作動部
【図１】
0003184432.tif 000003
【図２】
0003184432.tif 000004
【図３】
0003184432.tif 000005
【図４】
0003184432.tif 000006
【図５】
0003184432.tif 000007
【図６】
0003184432.tif 000008
【図７】
0003184432.tif 000009
【図８】
0003184432.tif 000010
【図９】
0003184432.tif 000011
【図１０】
0003184432.tif 000012